(57)【要約】      （修正有）【課題】複数の釣銭機から貨幣を収納したカセットをそれぞれ取り出し、各カセットに収納された貨幣を集約して現金センタ等に輸送する場合に、受け渡された貨幣を効率良く特定しつつ、貨幣に関する責任の所在を明確にすることができる貨幣回収装置を提供する。【解決手段】紙幣釣銭機２００は、回収対象の紙幣を着脱可能な運用カセット２０７に収納し、収納した紙幣の金種別枚数を現金センタに送信する。カセット回収機５００は、紙幣釣銭機２００から取り出された運用カセット２０７が装着されたならば、運用カセット２０７から紙幣を繰り出して、繰り出した紙幣の金種別の枚数を計数したうえで着脱可能な回収カセット５２０に収納するとともに、回収カセット５２０に収納した紙幣の金種別の枚数を現金センタに送信するようにし、回収カセット５２０を取り出して回収カセット５２０ごと現金センタに運搬するようにし、回収カセット５２０は施錠できる。【選択図】図１
2016162140.tif 000002
【特許請求の範囲】
【請求項１】
複数の貨幣処理装置から回収された貨幣が収納される第１の回収容器を受け付ける貨幣回収装置であって、
前記第１の回収容器が所定の回収容器装着部に装着され、所定の操作がなされた場合に、該第１の回収容器内に所在する貨幣を順次繰り出して貨幣の識別処理を行う識別処理部と、
前記識別処理部により識別された貨幣の種別ごとの枚数を計数処理する計数処理部と、
前記識別処理部により識別処理された貨幣を、装置本体から着脱可能に装着された第２の回収容器に収納する収納処理部と、
前記計数処理部により前記第１の回収容器内に所在する全ての貨幣の計数を終え、計数を終えた貨幣が前記収納処理部により前記第２の回収容器に収納されたならば、計数結果を所定の外部装置に通知する計数結果通知部と
を備えたことを特徴とする貨幣回収装置。
【請求項２】
前記貨幣処理装置を識別する識別情報を受け付ける識別情報受付部をさらに備え、
前記計数結果通知部は、
計数結果に併せて前記識別情報受付部で受け付けた前記貨幣処理装置の識別情報を前記外部装置に通知する
ことを特徴とする請求項１に記載の貨幣回収装置。
【請求項３】
前記貨幣処理装置ごとに前記計数結果通知部による計数結果の前記外部装置への通知が行われているか否かを判定する判定部と、
前記判定部により前記外部装置へ前記計数結果通知部による計数結果の通知が行われていない前記貨幣処理装置がある場合に、該貨幣処理装置の識別情報を報知する報知部と
をさらに備えたことを特徴とする請求項２に記載の貨幣回収装置。
【請求項４】
前記第２の回収容器は、
自装置から取り出した状態において、内部に収納されている貨幣の取り出しを制限する取出制限機構を有している
ことを特徴とする請求項１〜３のいずれか一つに記載の貨幣回収装置。
【請求項５】
前記識別処理部により識別処理された貨幣を一時貯留する一時貯留部と、
前記計数処理部による計数結果を表示する計数結果表示部と、
前記計数結果表示部による表示内容に関する承認操作を受け付ける承認受付部と
をさらに備え、
前記収納処理部は、
前記承認受付部により承認操作を受け付けたことを条件として、一時貯留部に貯留されている貨幣を前記第２の回収容器に収納する
ことを特徴とする請求項１〜４のいずれか一つに記載の貨幣回収装置。
【請求項６】
貨幣の投入を受け付ける貨幣投入受付部
をさらに備え、
前記識別処理部は、
前記貨幣投入受付部で受け付けた貨幣を繰り出して貨幣の識別処理を行う
ことを特徴とする請求項１〜５のいずれか一つに記載の貨幣回収装置。
【請求項７】
貨幣を貯留する貯留部と、着脱可能な第１の回収容器とを有する複数の貨幣処理装置と、各貨幣処理装置から取り外された回収された貨幣が収納される前記第１の回収容器を順次受け付ける貨幣回収装置とを含む貨幣処理システムであって、
前記貨幣処理装置は、
前記貯留部から前記第１の回収容器に搬送する貨幣の金種別枚数の指示である回収指示を受ける付ける指示受付部と、
前記指示受付部により受け付けた回収指示に基づいて前記貯留部から貨幣を繰り出して搬送し、前記第１の回収容器に収納する回収処理部と、
前記回収処理部により前記貯留部から繰り出された貨幣が前記第１の回収容器に収納されたならば、前記指示受付部により受け付けた回収指示を所定の外部装置に通知する回収指示通知部と
を備え、
前記貨幣回収装置は、
前記第１の回収容器が所定の回収容器装着部に装着され、所定の操作がなされた場合に、該第１の回収容器内に所在する貨幣を順次繰り出して貨幣の識別処理を行う識別処理部と、
前記識別処理部により識別された貨幣の種別ごとの枚数を計数処理する計数処理部と、
前記識別処理部により識別処理された貨幣を、装置本体から着脱可能に装着された第２の回収容器に収納する収納処理部と、
前記計数処理部により前記第１の回収容器内に所在する全ての貨幣の計数処理を終え、計数処理を終えた貨幣が前記収納処理部により前記第２の回収容器に収納されたならば、計数結果を前記外部装置に通知する計数結果通知部と
を備え、
前記回収指示通知部により前記外部装置に通知された回収指示と、前記計数結果通知部により前記外部装置に通知された計数結果との整合が取れているか否かを判定する判定処理部
を備えたことを特徴とする貨幣処理システム。
【請求項８】
複数の貨幣処理装置から回収された貨幣が収納される第１の回収容器を受け付ける貨幣回収装置における貨幣処理方法であって、
前記第１の回収容器が所定の回収容器装着部に装着され、所定の操作がなされた場合に、該第１の回収容器内に所在する貨幣を順次繰り出して貨幣の識別処理を行う識別処理ステップと、
前記識別処理ステップにより識別された貨幣の種別ごとの枚数を計数処理する計数処理ステップと、
前記識別処理ステップにより識別処理された貨幣を、装置本体から着脱可能に装着された第２の回収容器に収納する収納処理ステップと、
前記計数処理ステップにより前記第１の回収容器内に所在する全ての貨幣の計数を終え、計数を終えた貨幣が前記収納処理ステップにより前記第２の回収容器に収納されたならば、計数結果を所定の外部装置に通知する計数結果通知ステップと
を含んだことを特徴とする貨幣処理方法。
【発明の詳細な説明】
【技術分野】
【０００１】
この発明は、スーパーマーケット及び百貨店等の商業施設において、回収した貨幣を収納する貨幣回収装置、貨幣処理システム及び貨幣処理方法に関する。
【背景技術】
【０００２】
従来、スーパーマーケット及び百貨店等の商業施設のレジには、ＰＯＳ（Point of sale）端末が設置されており、商業施設の担当者は、このＰＯＳ端末を操作して顧客が購入する商品の精算を行う。かかるＰＯＳ端末には、貨幣を収納する収納部を有する釣銭機が接続されており、担当者が顧客から受け渡された貨幣は上記の釣銭機の収納部に収納され、顧客に対して釣銭を受け渡す必要がある場合には、この釣銭機の収納部から釣銭としての貨幣が払い出されることになる。この釣銭機には、貨幣を収納するカセットが着脱可能に設けられている。
【０００３】
そして、担当者がＰＯＳ端末に対して精算処理操作を行うと、上記カセットに対する収納部に収納された貨幣の搬送を開始し、全ての貨幣をカセットに搬送したならば、警送会社等がこのカセットを釣銭機から取り外して現金センタに輸送することになる。
【０００４】
ところが、上記の従来技術では、現金センタには多くの商業施設の釣銭機から取り外されたカセットが輸送され、また商業施設には複数の釣銭機が設けられるケースもあるため、現金センタに持ち込まれるカセットの数が多くなってしまう。このため、複数のカセット内に所在する貨幣を商業施設内で収容体に集約し、警送会社等がこの収容体を現金センタに輸送する技術が知られている。例えば、特許文献１には、装置内部に着脱可能な収容体を設け、釣銭機から取り外されたカセットが装着されたならば、カセット内の貨幣を収容体に（落下）収容し、貨幣を収容した収容体を装置外部に取り出すことができる貨幣収納装置が開示されている。
【先行技術文献】
【特許文献】
【０００５】
【特許文献１】特許第３６４０７５２号公報
【発明の概要】
【発明が解決しようとする課題】
【０００６】
しかしながら、上記特許文献１に記載された装置では、収容体に収容された貨幣が計数されていない為、正確な貨幣管理を行うことができない。また、収容体を装置から取り出した後に、警送会社の担当者が収容体内の貨幣に触れることが可能な構造となっているため、現金センタに輸送された収容体内の貨幣の金種ごとの枚数が、各釣銭機から取り出された各カセットに収納された貨幣の金種ごとの枚数と不整合である場合に、どの時点で貨幣が紛失したかの原因を特定できないという問題がある。
【０００７】
具体的には、上記の貨幣収納装置においてカセット内の貨幣を収容体に収容する場合に、カセット内に貨幣が貼り付いて残置されてしまうケースや、警送会社等がこの収容体を現金センタに輸送する際に、警送会社等の担当者が収容体から貨幣の一部を不正に抜き取るケースが考えられるため、現金センタに輸送された収容体内の貨幣の金種ごとの枚数が、各釣銭機から取り出された各カセットに収納された貨幣の金種ごとの枚数と不整合である場合に、その責任の所在が不明確になってしまう。このため、警送会社等の担当者は、不正を行っていないのにも係わらず、不正を疑われる事態に発展しかねない。
【０００８】
これらのことから、商業施設に設置された複数の釣銭機から貨幣を収納したカセットをそれぞれ取り出し、各カセットに収納された貨幣を集約して警送会社等により現金センタ等に輸送する場合に、商業施設から警送会社等に受け渡された貨幣をいかにして特定できるようにするかが重要な課題となっている。
【０００９】
本発明は、上述した従来技術の課題を解決するためのものであって、商業施設に設置された複数の釣銭機から貨幣を収納したカセットをそれぞれ取り出し、各カセットに収納された貨幣を集約して警送会社等により現金センタ等に輸送する場合に、商業施設から警送会社等に受け渡された貨幣を効率良く特定しつつ、もって貨幣に関する責任の所在を明確にすることができる貨幣回収装置、貨幣処理システム及び貨幣処理方法を提供することを目的とする。
【課題を解決するための手段】
【００１０】
上述した課題を解決し、目的を達成するため、本発明は、複数の貨幣処理装置から回収された貨幣が収納される第１の回収容器を受け付ける貨幣回収装置であって、前記第１の回収容器が所定の回収容器装着部に装着され、所定の操作がなされた場合に、該第１の回収容器内に所在する貨幣を順次繰り出して貨幣の識別処理を行う識別処理部と、前記識別処理部により識別された貨幣の種別ごとの枚数を計数処理する計数処理部と、前記識別処理部により識別処理された貨幣を、装置本体から着脱可能に装着された第２の回収容器に収納する収納処理部と、前記計数処理部により前記第１の回収容器内に所在する全ての貨幣の計数を終え、計数を終えた貨幣が前記収納処理部により前記第２の回収容器に収納されたならば、計数結果を所定の外部装置に通知する計数結果通知部とを備えたことを特徴とする。
【００１１】
また、本発明は、上記発明において、前記貨幣処理装置を識別する識別情報を受け付ける識別情報受付部をさらに備え、前記計数結果通知部は、計数結果に併せて前記識別情報受付部で受け付けた前記貨幣処理装置の識別情報を前記外部装置に通知することを特徴とする。
【００１２】
また、本発明は、上記発明において、前記貨幣処理装置ごとに前記計数結果通知部による計数結果の前記外部装置への通知が行われているか否かを判定する判定部と、前記判定部により前記外部装置へ前記計数結果通知部による計数結果の通知が行われていない前記貨幣処理装置がある場合に、該貨幣処理装置の識別情報を報知する報知部とをさらに備えたことを特徴とする。
【００１３】
また、本発明は、上記発明において、前記第２の回収容器は、自装置から取り出した状態において、内部に収納されている貨幣の取り出しを制限する取出制限機構を有していることを特徴とする。
【００１４】
また、本発明は、上記発明において、前記識別処理部により識別処理された貨幣を一時貯留する一時貯留部と、前記計数処理部による計数結果を表示する計数結果表示部と、前記計数結果表示部による表示内容に関する承認操作を受け付ける承認受付部とをさらに備え、前記収納処理部は、前記承認受付部により承認操作を受け付けたことを条件として、一時貯留部に貯留されている貨幣を前記第２の回収容器に収納することを特徴とする。
【００１５】
また、本発明は、上記発明において、貨幣の投入を受け付ける貨幣投入受付部をさらに備え、前記識別処理部は、前記貨幣投入受付部で受け付けた貨幣を繰り出して貨幣の識別処理を行うことを特徴とする。
【００１６】
また、本発明は、貨幣を貯留する貯留部と、着脱可能な第１の回収容器とを有する複数の貨幣処理装置と、各貨幣処理装置から取り外された回収された貨幣が収納される前記第１の回収容器を順次受け付ける貨幣回収装置とを含む貨幣処理システムであって、前記貨幣処理装置は、前記貯留部から前記第１の回収容器に搬送する貨幣の金種別枚数の指示である回収指示を受ける付ける指示受付部と、前記指示受付部により受け付けた回収指示に基づいて前記貯留部から貨幣を繰り出して搬送し、前記第１の回収容器に収納する回収処理部と、前記回収処理部により前記貯留部から繰り出された貨幣が前記第１の回収容器に収納されたならば、前記指示受付部により受け付けた回収指示を所定の外部装置に通知する回収指示通知部とを備え、前記貨幣回収装置は、前記第１の回収容器が所定の回収容器装着部に装着され、所定の操作がなされた場合に、該第１の回収容器内に所在する貨幣を順次繰り出して貨幣の識別処理を行う識別処理部と、前記識別処理部により識別された貨幣の種別ごとの枚数を計数処理する計数処理部と、前記識別処理部により識別処理された貨幣を、装置本体から着脱可能に装着された第２の回収容器に収納する収納処理部と、前記計数処理部により前記第１の回収容器内に所在する全ての貨幣の計数処理を終え、計数処理を終えた貨幣が前記収納処理部により前記第２の回収容器に収納されたならば、計数結果を前記外部装置に通知する計数結果通知部とを備え、前記回収指示通知部により前記外部装置に通知された回収指示と、前記計数結果通知部により前記外部装置に通知された計数結果との整合が取れているか否かを判定する判定処理部を備えたことを特徴とする。
【００１７】
また、本発明は、複数の貨幣処理装置から回収された貨幣が収納される第１の回収容器を受け付ける貨幣回収装置における貨幣処理方法であって、前記第１の回収容器が所定の回収容器装着部に装着され、所定の操作がなされた場合に、該第１の回収容器内に所在する貨幣を順次繰り出して貨幣の識別処理を行う識別処理ステップと、前記識別処理ステップにより識別された貨幣の種別ごとの枚数を計数処理する計数処理ステップと、前記識別処理ステップにより識別処理された貨幣を、装置本体から着脱可能に装着された第２の回収容器に収納する収納処理ステップと、前記計数処理ステップにより前記第１の回収容器内に所在する全ての貨幣の計数を終え、計数を終えた貨幣が前記収納処理ステップにより前記第２の回収容器に収納されたならば、計数結果を所定の外部装置に通知する計数結果通知ステップとを含んだことを特徴とする。
【発明の効果】
【００１８】
本発明の貨幣回収装置、貨幣処理システム及び貨幣処理方法によれば、商業施設に設置された複数の釣銭機から貨幣を収納したカセットをそれぞれ取り出し、各カセットに収納された貨幣を集約して警送会社等により現金センタ等に輸送する場合に、商業施設から警送会社等に受け渡された貨幣を効率良く特定しつつ、もって貨幣に関する責任の所在を明確にすることができる。
【図面の簡単な説明】
【００１９】
【図１】図１は、本実施例に係る店舗内の複数の紙幣釣銭機から紙幣を回収して、回収した紙幣を集約して現金センタに持ち出す処理に係るシステムの概要を示す図である。
【図２】図２は、本実施例に係る貨幣処理システムのシステム構成を示す図である。
【図３】図３は、本実施例に係るＰＯＳレジスタ、硬貨釣銭機、紙幣釣銭機及び棒金収納機の外観構成を示す図である。
【図４】図４は、図２に示したＰＯＳレジスタ、硬貨釣銭機、紙幣釣銭機及び棒金収納機の本実施例に係る装置内部の物理構成を示す図である。
【図５】図５は、図２に示した硬貨釣銭機、紙幣釣銭機及び棒金収納機の本実施例に係る機能的な内部構成を示すブロック図である。
【図６】図６は、図２に示したＰＯＳレジスタの本実施例に係る機能的な内部構成を示すブロック図である。
【図７】図７は、図５に示した硬貨釣銭機、紙幣釣銭機及び棒金収納機の本実施例に係るデータ構成について説明するための説明図である。
【図８】図８は、図６に示したＰＯＳレジスタの本実施例に係るデータ構成について説明するための説明図である。
【図９】図９は、図２に示したカセット回収機の外観構成を示す図である。
【図１０】図１０は、図２に示したカセット回収機の本実施例に係る装置内部の物理構成を示す図である。
【図１１】図１１は、図２に示したカセット回収機の本実施例に係る機能的な内部構成を示すブロック図である。
【図１２】図１２は、図２に示したカセット回収機の本実施例に係るデータ構成について説明するための説明図である。
【図１３】図１３は、図２に示した紙幣釣銭機における紙幣回収処理の処理手順を示すフローチャートである。
【図１４】図１４は、図２に示したカセット回収機における紙幣釣銭機から回収された紙幣を収納するときの処理手順を示すフローチャートである。
【図１５】図１５は、図２に示したカセット回収機から回収カセットを取り出すときの処理手順を示すフローチャートである。
【発明を実施するための形態】
【００２０】
以下に、添付図面を参照して、本発明に係る貨幣回収装置、貨幣処理システム及び貨幣処理方法の好適な実施例を詳細に説明する。
【実施例】
【００２１】
まず、本実施例に係る店舗内の複数の紙幣釣銭機２００から紙幣を回収して、回収した紙幣を集約して現金センタに持ち出す処理に係るシステムの概要について図１を用いて説明する。
【００２２】
複数のＰＯＳレジスタ３００と、１台のカセット回収機５００が設置されているような店舗を例として精査処理に係る一連の処理の概要を説明する。ＰＯＳレジスタ３００には、硬貨釣銭機１００及び紙幣釣銭機２００が接続され、商品の決済処理に伴う貨幣の収納及び釣銭の払い出しを行う。また、ＰＯＳレジスタ３００には、棒金収納機４００も接続され、硬貨の釣銭準備金をストックしておくことができる。また、紙幣釣銭機２００は、着脱可能な運用カセット２０７を備えている。
【００２３】
ＰＯＳレジスタ３００は、回収指示操作を受け付けると、受け付けた回収指示操作に基づいて硬貨釣銭機１００及び紙幣釣銭機２００に硬貨及び紙幣の回収指示を通知する。図１では、この紙幣釣銭機２００から回収される紙幣に係る精査処理について説明する。紙幣釣銭機２００は、回収指示を受け付けたならば受け付けた指示内容に基づいて図示しない紙幣収納部２０６から指示された金額（あるいは、金種毎の枚数）の紙幣を繰り出して、運用カセット２０７に搬送し収納する。ＰＯＳレジスタ３００は、運用カセット２０７に回収対象の紙幣の収納が終了したら、店舗の識別情報、ＰＯＳレジスタ３００の識別情報及び運用カセット２０７に収納した紙幣の金種別の枚数を含む個別回収通知を現金センタに送信する（図１中の（ａ））。現金センタはこの個別回収通知を受け付けたならば、受け付けた個別回収通知の情報を登録する。
【００２４】
また、ＰＯＳレジスタ３００の担当者（あるいは、店舗内の回収担当者）は、運用カセット２０７に回収対象の紙幣の収納が終了したら、紙幣釣銭機２００から運用カセット２０７を抜き取って（図１中の（ｂ））、カセット回収機５００が設置されるバックオフィス等に持ち込む（図１中の（ｃ））。ＰＯＳレジスタ３００の担当者は、担当者カードをカードリーダ５１３に読ませるなどにより認証するとともに持ち込んだ運用カセット２０７をカセット回収機５００に装着して（図１中の（ｄ））、所定の操作を行うことにより運用カセット２０７に収納されていた紙幣を繰り出してカセット回収機５００が備える回収カセット５２０に搬送し収納する（図１中の（ｅ））。この際には、カセット回収機５００は、運用カセット２０７から繰り出された紙幣の識別を行うことにより回収カセット５２０に収納された紙幣の金種別の枚数を計数し、店舗の識別情報、装着した運用カセット２０７に対応するＰＯＳレジスタ３００の識別情報及び回収カセット５２０に収納した紙幣の金種別の枚数を含む回収紙幣収納通知を現金センタに送信する（図１中の（ｆ））。現金センタは回収紙幣収納通知を受け付けたならば、受け付けた回収紙幣収納通知の情報を登録する。店舗内に存在する全てのＰＯＳレジスタ３００の担当者がこのような操作を行うことにより、店舗内に存在する全てのＰＯＳレジスタ３００に接続される紙幣釣銭機２００から回収された紙幣をカセット回収機５００の回収カセット５２０に集めることができる。
【００２５】
店舗から現金を現金センタに搬送する警送会社の担当者がカセット回収機５００を操作することによって前面の鍵が解錠され、カセット回収機５００から取り出すことができる（図１中の（ｇ））。回収カセット５２０にはシャッタが形成されており、回収カセット５２０をカセット回収機５００に装填した状態ではシャッタが開放位置にあり、紙幣が回収カセット内へ送り込まれる。一方、カセット回収機５００から取外す動作に連動してシャッタが閉鎖位置へ移動されて施錠されるので、紙幣の取出しが不可能となる。このシャッタを開けるための鍵は現金センタに保管されており、搬送の担当者が内部に収納されている紙幣に触れることはできない。取り出された回収カセット５２０は、現金センタに運び込まれる（図１中の（ｈ））。
【００２６】
現金センタでは、回収カセット５２０内の紙幣について紙幣計数装置等を用いて計数し、（ａ）又は（ｆ）により受け付けた内容と比較することによって現金センタに運び込まれた紙幣の過不足を検査する。
【００２７】
このように、紙幣釣銭機２００は、回収対象の紙幣を着脱可能な運用カセット２０７に収納し、運用カセット２０７に収納した紙幣の金種別枚数を現金センタに送信し、カセット回収機５００は、紙幣釣銭機２００から取り出された運用カセット２０７が装着可能で、運用カセット２０７が装着されたならば、運用カセット２０７から紙幣を繰り出して、繰り出した紙幣の金種別の枚数を計数したうえで着脱可能な回収カセット５２０に収納するとともに、回収カセット５２０に収納した紙幣の金種別の枚数を現金センタに送信するようにし、回収カセット５２０を取り出して回収カセット５２０ごと現金センタに運搬するようにし、回収カセット５２０は施錠できて運搬担当者が紙幣に触れることができないようにしたので、商業施設に設置された複数の釣銭機から貨幣を収納したカセットをそれぞれ取り出し、各カセットに収納された貨幣を集約して警送会社等により現金センタ等に輸送する場合に、商業施設から警送会社等に受け渡された貨幣を効率良く特定しつつ、もって貨幣に関する責任の所在を明確にすることができる。
【００２８】
次に、貨幣処理システムのシステム構成を説明する。図２は、貨幣処理システムのシステム構成を示す図である。図２に示すように貨幣処理システムは、店舗と現金センタに設置される装置があり、専用線又はインタネットなどの通信網を経由して相互に接続されている。店舗側には、売場に設置される装置と、従業員のみが出入りすることができるバックオフィスに設置される装置があり、ＬＡＮ等の通信線９０によって接続されている。ＰＯＳレジスタ３００及びそれに接続される装置は売場に設置され、カセット回収機５００及びＰＯＳサーバ７００はバックオフィスに設置される。
【００２９】
売場には、複数のＰＯＳレジスタ３００が設置されており、それぞれのＰＯＳレジスタ３００に対して硬貨釣銭機１００、紙幣釣銭機２００及び棒金収納機４００が接続されている。硬貨釣銭機１００は、顧客から受け付けた硬貨の真贋判定を行い、真貨であると判定された硬貨額をＰＯＳレジスタ３００に通知するとともに、受け付けた硬貨を硬貨釣銭機１００の内部に収納する。また、硬貨釣銭機１００は、ＰＯＳレジスタ３００からの指示に基づいて釣銭の硬貨の払出を行う。紙幣釣銭機２００は、顧客から受け付けた紙幣の真贋判定を行い、真券であると判定された紙幣額をＰＯＳレジスタ３００に通知するとともに、受け付けた紙幣を紙幣釣銭機２００の内部に収納する。また、紙幣釣銭機２００は、ＰＯＳレジスタ３００からの指示に基づいて釣銭の紙幣の払出を行う。棒金収納機４００は、主に５０枚単位で包装された硬貨である棒金を収納する装置であって、金種ごとに収める位置が決まっており金種別の棒金の在高を管理する。
【００３０】
硬貨釣銭機１００、紙幣釣銭機２００及び棒金収納機４００は内部に収納されている硬貨及び紙幣の在高を管理している。また、硬貨及び現金の在高に係る情報は、ＰＯＳレジスタ３００にも随時通知されることから、ＰＯＳレジスタ３００もほぼリアルタイムで硬貨釣銭機１００、紙幣釣銭機２００及び棒金収納機４００の現金の在高を把握することができる。
【００３１】
ＰＯＳレジスタ３００は、商品代金の決済を行うための装置であり、顧客の購入した商品の識別情報及び個数の入力を受け付けて顧客への請求金額を算出する。また、ＰＯＳレジスタ３００は、顧客から受け付けた現金を硬貨釣銭機１００及び紙幣釣銭機２００に投入することによって硬貨釣銭機１００及び紙幣釣銭機２００から通知される受付金額を受け取って、受付金額から顧客への請求金額を差し引いた金額を釣銭として払い出すよう硬貨釣銭機１００及び紙幣釣銭機２００に指示を行う。
【００３２】
また、ＰＯＳレジスタ３００は、顧客単位の取引の決済処理が終了するごとに、取引の履歴をレシートとして発行するとともに、取引の履歴を記録する。また、ＰＯＳレジスタ３００は、顧客単位の決済処理が終了するごとに、取引の履歴を上位装置であるバックオフィスに設置されるＰＯＳサーバ７００にも送信する。また、ＰＯＳレジスタ３００は、硬貨釣銭機１００、紙幣釣銭機２００及び棒金収納機４００の現金の在高の情報及びエラー等の状態を随時ＰＯＳサーバ７００にも通知を行う。これによって、ＰＯＳサーバ７００は、ほぼリアルタイムで硬貨釣銭機１００、紙幣釣銭機２００及び棒金収納機４００の現金の在高の情報及びエラー等の状態を把握することができる。また、ＰＯＳサーバ７００は、図１の（ａ）に示した紙幣釣銭機２００からの個別回収通知をＰＯＳレジスタ３００を経由して取得して、現金センタに送信する。
【００３３】
カセット回収機５００は、売場のＰＯＳレジスタ３００に接続される紙幣釣銭機２００から回収された紙幣の収納された運用カセット２０７を受け付けて、受け付けた運用カセット２０７に収められた紙幣を繰り出して、内部の回収カセット５２０に収納することのできる装置である。また、カセット回収機５００が備える回収カセット５２０は着脱可能で、カセット回収機５００に収納された紙幣を現金センタに持ち出す場合には、回収カセット５２０ごと取り出して、回収カセット５２０ごと現金センタへ搬送する。
【００３４】
次に、本実施例に係るＰＯＳレジスタ３００、硬貨釣銭機１００、紙幣釣銭機２００及び棒金収納機４００の外観構成について図３を用いて説明する。図３（ａ）は、ＰＯＳレジスタ３００の外観構成を示すための斜視図で、図３（ｂ）はＰＯＳレジスタ３００に接続される硬貨釣銭機１００、紙幣釣銭機２００及び棒金収納機４００の外観構成を示す斜視図である。
【００３５】
図３（ａ）に示すようにＰＯＳレジスタ３００は、硬貨釣銭機１００や紙幣釣銭機２００における硬貨や紙幣の処理状況や、硬貨釣銭機１００や紙幣釣銭機２００で受け付けた硬貨や紙幣の預かり額や決済対象の商品の一覧などを表示する表示部３０２と、ＰＯＳレジスタ３００に対する様々な入力操作を受け付ける操作部３０４と、表示部３０２に表示する内容の一部や表示部３０２とは異なる内容を表示する追加表示部３０２ａと、レシートを発行するプリンタ３０６と、商品などのバーコードを読み取るバーコードリーダ３０８と、ＰＯＳレジスタ３００を操作する担当者のカード等の情報を読み取るスリット状のカードリーダ３１０とを有する。
【００３６】
また、図３（ｂ）に示すように硬貨釣銭機１００は、前部上面に硬貨釣銭機１００及び紙幣釣銭機２００の機内の金種別の貨幣の在高等の表示を行う表示操作部１１２と、顧客から受け付けた硬貨を投入する硬貨受入部１１４を備え、前部に釣銭硬貨を払い出す硬貨払出部１１６が設けられている。硬貨受入部１１４は、受け入れた硬貨を１層１列状態で１枚ずつ機体内に取り込む。また、硬貨受入部１１４の開口部分に手動で開閉可能なシャッタ１１５が設けられている。このシャッタ１１５が開かれた状態において硬貨受入部１１４に貨幣を投入することができるが、シャッタ１１５が閉じられた状態では硬貨受入部１１４に貨幣を投入することはできない。また、シャッタ１１５にはロック機構が設けられており、開いた状態でロックしたり、閉じた状態でロックすることができる。このシャッタ１１５は、通常の商品の決済処理中には開けた状態で運用し、後述する自動精査処理は閉鎖されるように制御される。また、閉店後の精算処理においても閉鎖されるように制御され、翌営業日の装置立上時等に開けるように制御される。
【００３７】
また、図３（ｂ）に示すように紙幣釣銭機２００は、前面には、紙幣受入口２１４ａと、紙幣取出口２１６ａとを備えている。また、売上金の回収時に使用する運用カセット２０７は筐体に対して着脱自在に取り付けられている。
【００３８】
また、図３（ｂ）に示すように、棒金収納機４００は硬貨釣銭機１００の下に配置され、装置手前に引き出すことが可能な棒金収納部４０１を備えている。
【００３９】
図３（ｂ）に示すように、硬貨釣銭機１００と棒金収納機４００とが上下に重ねて配置され、硬貨釣銭機１００及び棒金収納機４００の横に並べて紙幣釣銭機２００が配置されると、硬貨釣銭機１００及び紙幣釣銭機２００の上面は同じ高さになるよう構成されており、その上面にＰＯＳレジスタ３００を置載することができる。
【００４０】
次に、図２に示したＰＯＳレジスタ３００、硬貨釣銭機１００、紙幣釣銭機２００及び棒金収納機４００の本実施例に係る装置内部の物理構成を、図４を用いて説明する。
【００４１】
ＰＯＳレジスタ３００は、表示部３０２、操作部３０４及びＰＯＳレジスタ全体を制御する制御部３３０を有している。制御部３３０は、通信回線を介してＰＯＳサーバ７００に接続されており、売上金情報等が送信されるようになっている。また、ＰＯＳレジスタ３００の制御部３３０は、硬貨釣銭機１００の制御部１３０と通信回線によって接続されている。また、硬貨釣銭機１００の制御部１３０は、紙幣釣銭機２００の制御部２３０及び棒金収納機４００の制御部４３０とも互いに通信回線によって接続されている。ＰＯＳレジスタ３００は、硬貨釣銭機１００との通信回線を通して、硬貨釣銭機１００からの情報、硬貨釣銭機１００を経由して紙幣釣銭機２００からの情報及び棒金収納機４００からの情報を取得する。また、ＰＯＳレジスタ３００は、通信回線を通して硬貨釣銭機１００、硬貨釣銭機１００を通して紙幣釣銭機２００及び棒金収納機４００に対する指示を行うことができる。
【００４２】
硬貨釣銭機１００の筐体の前部上面に設けられている硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００４３】
この入金搬送部１０３の途中には、硬貨の識別を行う硬貨識別部１０１と、リジェクト硬貨分岐部１０４ａと、あふれ硬貨分岐部１０４ｂとがそれぞれ設けられている。リジェクト硬貨分岐部１０４ａは、硬貨識別部１０１による硬貨の識別結果に基づいて、リジェクト硬貨等の、硬貨払出部１１６に返却されるべき硬貨を出金搬送部１０８へ図示しない搬送路を経由して搬送する。また、あふれ硬貨分岐部１０４ｂは、硬貨識別部１０１による硬貨の識別結果が正常硬貨であった場合でも、対応する硬貨収納部１０６がフルの状態である場合に硬貨を硬貨補助収納部１０７に搬送する。このように、硬貨補助収納部１０７は、あふれ硬貨を収納する用途に使用することも可能であるが、設定によっては硬貨収納部１０６がフル状態になっている場合には運用を停止するものとして硬貨補助収納部１０７にあふれ硬貨を入れないようにすることもできる。また、硬貨補助収納部１０７は、後述する自動精査処理でも使用される。
【００４４】
一方、硬貨収納部１０６がフルの状態でない場合には硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。また、硬貨収納部１０６は、図４に示すようにフル検知センサ１０５により硬貨収納部１０６の物理的なフル状態の監視が行われている。このフル検知センサ１０５は、発光部と受光部を備えており、発光部から発射された光をそれぞれの硬貨収納部１０６の上端近くに開けられた孔を通して受光部で受光する構造となっている。いずれかの硬貨収納部１０６に硬貨が多量に収納されると、発光部から発射した光が多量に収納された硬貨によって遮断され、受光部が光を検知しないことによっていずれかの硬貨収納部１０６がフル状態であることが検知される。フル検知センサ１０５は、このような構造であるため、複数ある硬貨収納部１０６の内、どの硬貨収納部１０６がフル状態になったのかについての判別を行うことはできず、複数ある硬貨収納部１０６の内、少なくともいずれか１つの硬貨収納部１０６がフル状態になっていることを検知するという機能を提供するものである。出金搬送部１０８は、硬貨収納部１０６から繰り出された硬貨を硬貨払出部１１６へ搬送する。また、出金搬送部１０８は、リジェクト硬貨分岐部１０４ａから搬送されたリジェクト硬貨等を硬貨払出部１１６へ搬送する。
【００４５】
硬貨補助収納部１０７は、自動精査処理時には処理対象である硬貨収納部１０６から繰り出された硬貨を、出金搬送部１０８及び出金搬送部１０８から分岐して硬貨補助収納部１０７に続く補助搬送路１０９ａを経由して受け入れる。また、硬貨補助収納部１０７に受け入れられた硬貨は、硬貨補助収納部１０７から繰り出され、補助搬送路１０９ｂを経由して硬貨受入部１１４に送り出される。硬貨受入部１１４に送り出された硬貨は入金時の経路を通って硬貨収納部１０６に戻される。硬貨は、入金時の経路を通されて硬貨収納部１０６に戻される過程において硬貨識別部１０１で真偽及び正損の判定と真貨／正貨と判定された硬貨の金種別の枚数の計数が行われる。このようにすることによって、硬貨収納部１０６に収められている金種別の枚数を確認することができる。また、硬貨補助収納部１０７は、この機能を実現するため、最も容量の大きな硬貨収納部１０６に収められた硬貨を全て収納できるだけの容量を有している。
【００４６】
紙幣釣銭機２００は、この筐体内の略中央部に設けられた環状の周回搬送部２０３ａを備えている。また、紙幣受入部２１４、３つの紙幣収納部２０６、紙幣払出部２１６、出金リジェクト部２０４、及び運用カセット２０７が、周回搬送部２０３ａから外周を取り囲むように配置されている。
【００４７】
また、紙幣釣銭機２００の筐体の内部には、紙幣受入部２１４、紙幣収納部２０６、紙幣払出部２１６、出金リジェクト部２０４、及び運用カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別（真偽、金種）を行う。また、周回搬送部２０３ａと接続搬送部２０３ｂとの間で紙幣の搬送経路を切り換える経路切換部（図示せず）が、周回搬送部２０３ａに沿って配置されている。
【００４８】
運用カセット２０７は、紙幣釣銭機２００に対して着脱可能であるが繰り出し機構を備えており、紙幣収納部２０６等から搬送された紙幣を収納するだけではなく、運用カセット２０７に収納されている紙幣の繰り出しを行うことができる。運用カセット２０７は、紙幣釣銭機２００に装着することにより、紙幣釣銭機２００側の駆動部からの駆動力が伝わるような構造となっており、内部に駆動部を有していないが繰り出しができる構造となっている。なお、本実施例では、運用カセット２０７は内部に繰り出し機構を備えていて、紙幣釣銭機２００に装着することにより紙幣釣銭機２００側の駆動部からの駆動力が伝わるような構造となっている旨説明したが、本発明はこれに限定されるものではない。例えば、運用カセット２０７自体には繰り出し機構も有さない構造として、運用カセット２０７を紙幣釣銭機２００に装着すると、紙幣釣銭機２００に設けられた繰り出し機構が運用カセット２０７に入り込むような構造としておいて、該繰り出し機構により運用カセット２０７内の紙幣を紙幣釣銭機２００の本体内に繰り出せるようになっていてもよい。また、例えば、運用カセット２０７を紙幣釣銭機２００に装着すると紙幣釣銭機２００から電源の共有を受けられるような構造としておいて、運用カセット２０７自体に繰り出し機構及びこれに駆動力を与える駆動部を有し、供給される電源によって駆動部が動作して繰り出し機構に駆動力を与え、この繰り出し機構により紙幣の繰り出しが行えるようになっていてもよい。
【００４９】
紙幣受入部２１４は、紙幣受入口２１４ａに挿入された入金紙幣を１枚ずつ取り込んで、周回搬送部２０３ａ側へ繰り出すようになっている。周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納する。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００５０】
紙幣釣銭機２００に紙幣の出金指示が伝えられると、紙幣収納部２０６に収納されている紙幣が繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納される。
【００５１】
棒金収納機４００は、棒金を収納する棒金収納部４０１を有している。
【００５２】
次に、図２に示した硬貨釣銭機１００、紙幣釣銭機２００及び棒金収納機４００の本実施例に係る機能的な内部構成を説明する。図５は、硬貨釣銭機１００、紙幣釣銭機２００及び棒金収納機４００の本実施例に係る機能的な内部構成を示すブロック図である。
【００５３】
図５に示すように、硬貨釣銭機１００は、通信部１３２、硬貨受入部１１４、シャッタ１１５、入金搬送部１０３、硬貨識別部１０１、リジェクト硬貨分岐部１０４ａ、あふれ硬貨分岐部１０４ｂ、フル検知センサ１０５、硬貨収納部１０６、硬貨補助収納部１０７、出金搬送部１０８、補助搬送路１０９ａ、補助搬送路１０９ｂ、硬貨払出部１１６、表示操作部１１２、記憶部１３４及び制御部１３０を備えている。通信部１３２は、通信回線を通してＰＯＳレジスタ３００、紙幣釣銭機２００及び棒金収納機４００とのデータ通信を行うためのインタフェース部である。
【００５４】
硬貨受入部１１４は、入金する硬貨の受付を行う。シャッタ１１５は、硬貨受入部１１４の上部開口を開放および閉鎖するものであり、硬貨釣銭機１００の運用中の状態に応じて開閉の制御が行われる。入金搬送部１０３は、硬貨受入部１１４で受け付けた硬貨を硬貨識別部１０１、リジェクト硬貨分岐部１０４ａ及びあふれ硬貨分岐部１０４ｂを経由して硬貨収納部１０６への搬送を行う。硬貨識別部１０１は、入金搬送部１０３によって搬送されてきた硬貨の真偽及び正損の判定を行う。リジェクト硬貨分岐部１０４ａは、硬貨識別部１０１の真偽及び正損の識別結果に応じて、搬送されてきた硬貨を硬貨払出部１１６に続く出金搬送部１０８若しくは硬貨収納部１０６に続く入金搬送部１０３のいずれかに分岐させる。真貨であり且つ正貨と識別された場合には、リジェクト硬貨分岐部１０４ａは搬送されてきた硬貨を硬貨収納部１０６に続く入金搬送部１０３に振り分ける。また、偽貨若しくは損貨と識別された場合には、リジェクト硬貨分岐部１０４ａは搬送されてきた硬貨を硬貨払出部１１６に続く出金搬送部１０８に振り分ける。あふれ硬貨分岐部１０４ｂは、フル検知センサ１０５による硬貨収納部１０６のフル検知状況に応じて、搬送されてきた硬貨を硬貨補助収納部１０７若しくは硬貨収納部１０６に続く入金搬送部１０３のいずれかに分岐させる。硬貨収納部１０６のフルが検知されている状況においては、あふれ硬貨分岐部１０４ｂは、搬送されてきた硬貨を硬貨補助収納部１０７に振り分ける。また、硬貨収納部１０６のフルが検知されていない状況においては、あふれ硬貨分岐部１０４ｂは、搬送されてきた硬貨を硬貨収納部１０６に続く入金搬送部１０３に振り分ける。フル検知センサ１０５は、硬貨収納部１０６の少なくとも１つが物理的にフルの状態となっていることを検知することができるセンサである。
【００５５】
硬貨収納部１０６は、硬貨の入金処理あるいは補充処理で真貨であり且つ正貨と識別された硬貨を金種別に収納する収納部である。また、硬貨の出金処理では、当該硬貨収納部１０６から硬貨を繰り出して払い出しを行う。出金搬送部１０８は、硬貨の出金処理において硬貨収納部１０６から繰り出された硬貨を硬貨払出部１１６に搬送する。また、出金搬送部１０８は、入金された硬貨が硬貨識別部１０１によって偽貨若しくは損貨と識別された場合に、リジェクト硬貨分岐部１０４ａから分岐により受け付けた偽貨若しくは損貨と識別された硬貨を硬貨払出部１１６に搬送する。硬貨払出部１１６は、釣銭として出金する硬貨若しくは硬貨識別部１０１によって偽貨若しくは損貨と識別された返却する硬貨（入金リジェクト硬貨）を払い出す口である。
【００５６】
硬貨補助収納部１０７は、出金搬送部１０８から分岐した補助搬送路１０９ａにより搬送された硬貨を収納できるような構造となっている。また、硬貨補助収納部１０７は、収納された硬貨を繰り出す機構を有しており、繰り出された硬貨は補助搬送路１０９ｂにより硬貨受入部１１４に送り出される。
【００５７】
表示操作部１１２は、硬貨釣銭機１００、紙幣釣銭機２００及び棒金収納機４００における硬貨や紙幣の処理状況や、硬貨釣銭機１００、紙幣釣銭機２００及び棒金収納機４００の内部に収納された硬貨や紙幣の在高などの情報を表示する出力部である。また、これらの機器に処理の指示等を与える入力部としても機能する。
【００５８】
記憶部１３４は、ハードディスク装置や不揮発性メモリ等の記憶デバイスであり、硬貨在高データ１３４ａ及び入出金履歴データ１３４ｂを有する。硬貨在高データ１３４ａは、硬貨釣銭機１００内で管理する硬貨の金種別の在高を示すデータである。入出金履歴データ１３４ｂは、硬貨釣銭機１００で行われた硬貨の受け払いの履歴を記録したデータである。
【００５９】
制御部１３０は、硬貨釣銭機１００の全体を制御する制御部であり、入出金処理部１３０ａ、補充処理部１３０ｂ、回収処理部１３０ｃ及び精査処理部１３０ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００６０】
入出金処理部１３０ａは、硬貨の入金処理及び出金処理全体を制御する処理部である。また、入出金処理部１３０ａは、硬貨入出金が終了したならば、入出金履歴データ１３４ｂの更新を行うとともに、金種ごとの入出金の内容に応じて硬貨在高データ１３４ａの更新を行う。また、入出金処理部１３０ａは、処理開始時にシャッタ１１５が閉じられた状態の場合にはシャッタ１１５を開ける制御をする。具体的には、入出金処理部１３０ａは、シャッタ１１５のロックの解除を行い、表示操作部１１２にシャッタ１１５を開けることを促すメッセージを表示して、シャッタ１１５が開かれたならば開かれた状態でロックを行う。
【００６１】
補充処理部１３０ｂは、硬貨受入部１１４で受け付けた硬貨の硬貨収納部１０６への補充処理の全体を制御する処理部である。補充処理部１３０ｂは、補充処理により硬貨収納部１０６に収納された硬貨の枚数に応じて硬貨在高データ１３４ａの更新を行う。また、補充処理部１３０ｂは、補充処理に係る情報を入出金履歴データ１３４ｂに登録する。また、補充処理部１３０ｂは、処理開始時にシャッタ１１５が閉じられた状態の場合にはシャッタ１１５を開くように制御する。
【００６２】
回収処理部１３０ｃは、ＰＯＳレジスタ３００から回収の指示を受け付けた場合、若しくは表示操作部１１２の操作による回収の指示を受け付けた場合に、金種ごとに指定された枚数の硬貨（全回収の場合は、収納される全ての硬貨）を硬貨払出部１１６に搬送（回収）する。また、回収処理部１３０ｃは、回収された硬貨の枚数に応じて硬貨在高データ１３４ａの更新を行う。また、回収処理部１３０ｃは、処理開始時にシャッタ１１５が開いている状態の場合にはシャッタ１１５を閉じる制御をする。具体的には、回収処理部１３０ｃは、シャッタ１１５のロックの解除を行い、表示操作部１１２にシャッタ１１５を閉じることを促すメッセージを表示して、シャッタ１１５が閉じられたならば閉じられた状態でロックを行う。また、回収処理部１３０ｃは、処理が終了したとしてもシャッタ１１５を開ける制御は行わない。
【００６３】
精査処理部１３０ｄは、ＰＯＳレジスタ３００から自動精査の指示を受け付けた場合、若しくは表示操作部１１２の操作による自動精査の指示を受け付けた場合に、まず、硬貨受入部１１４のシャッタ機構を閉じる制御を行う。次に、精査処理部１３０ｄは、１金種目の硬貨収納部１０６から硬貨を繰り出して硬貨補助収納部１０７に送り込む。硬貨収納部１０６内の全ての硬貨が硬貨補助収納部１０７に送り込まれたならば、該硬貨を硬貨受入部１１４に搬送する。この際、硬貨収納部１０６内の全ての硬貨が硬貨補助収納部１０７に送り込まれたことを待ち合わせて硬貨補助収納部１０７からの硬貨受入部１１４への搬送をする必要はなく、硬貨の硬貨補助収納部１０７への送り込み動作に並行して一部の硬貨を硬貨補助収納部１０７から硬貨受入部１１４に搬送を行うようにしてもよい。
【００６４】
さらに、精査処理部１３０ｄは、硬貨受入部１１４に搬送された硬貨を繰り出して、硬貨識別部１０１で識別した後に、元の硬貨収納部１０６に収納する。このようにして、硬貨収納部１０６から繰り出された全ての硬貨が硬貨識別部１０１を通って元の硬貨収納部１０６に再び収納されると当該金種の在高を確認することができる。これらの処理を、全ての金種の硬貨収納部１０６に対して実施することにより、全ての金種の在高を確認することができる。また、これらの自動精査の処理により確認された金種別の在高と、これらの処理以前に記憶されていた硬貨在高データ１３４ａとを照合して、不一致であった場合には自動精査の処理により確認された金種別の在高で硬貨在高データ１３４ａを更新する。また、精査処理部１３０ｄは、一部の金種について金種指定の自動精査を行うこともできる。また、精査処理部１３０ｄは、処理の履歴を入出金履歴データ１３４ｂに記録する。また、精査処理部１３０ｄは、処理開始時にシャッタ１１５が開いている状態の場合にはシャッタ１１５を閉じる制御をする。
【００６５】
入出金処理部１３０ａ、補充処理部１３０ｂ、回収処理部１３０ｃ及び精査処理部１３０ｄは、それぞれの処理の結果として、硬貨在高データ１３４ａ及び入出金履歴データ１３４ｂの更新が行われた場合には、更新内容（各処理を実行した旨の情報を含む）をＰＯＳレジスタ３００に通知する。
【００６６】
図５に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、運用カセット２０７、記憶部２３４及び制御部２３０を備えている。通信部２３２は、通信回線を通して硬貨釣銭機１００とのデータ通信を行うためのインタフェース部である。
【００６７】
紙幣受入部２１４は、入金する紙幣の受付を行う。周回搬送部２０３ａは、紙幣受入部２１４から繰り出した紙幣を紙幣収納部２０６に続く接続搬送部２０３ｂか、運用カセット２０７に続く接続搬送部２０３ｂか、紙幣払出部２１６に続く接続搬送部２０３ｂのいずれかに選択的に搬送する。また、周回搬送部２０３ａは、紙幣収納部２０６から繰り出した紙幣を出金リジェクト部２０４に続く接続搬送部２０３ｂか、運用カセット２０７に続く接続搬送部２０３ｂか、紙幣払出部２１６に続く接続搬送部２０３ｂのいずれかに選択的に搬送する。接続搬送部２０３ｂは、周回搬送部２０３ａと紙幣収納部２０６、運用カセット２０７、紙幣払出部２１６、出金リジェクト部２０４若しくは紙幣受入部２１４とを結ぶ紙幣の搬送処理部である。
【００６８】
紙幣識別部２０１は、周回搬送部２０３ａ上にあって、紙幣の真偽、正損及び金種の識別を行う。紙幣収納部２０６は、紙幣の入金処理で真券であり且つ正券と識別された紙幣を金種別に収納する収納部である。また、紙幣の出金処理では、当該紙幣収納部２０６から紙幣を繰り出して払い出しを行う。出金リジェクト部２０４は、紙幣の出金処理において紙幣収納部２０６から繰り出された紙幣のうち、紙幣識別部２０１で搬送異常（連鎖、斜行等）と識別された紙幣を収納するボックスである。紙幣払出部２１６は、紙幣の出金処理において紙幣収納部２０６から繰り出された紙幣のうち、紙幣識別部２０１で真券であり且つ正券と識別された紙幣を払い出す口である。また、紙幣払出部２１６は、紙幣の入金処理において紙幣識別部２０１で偽券若しくは損券と識別された紙幣を返却する口である。
【００６９】
運用カセット２０７は、紙幣収納部２０６に収納されている紙幣を回収する場合に使用される。また、運用カセット２０７は、紙幣収納部２０６に釣銭準備金を補充する場合にも使用される。また、運用カセット２０７は、紙幣収納部２０６に収納されている紙幣の在高を確認する自動精査処理における保留場所としても使用される。
【００７０】
記憶部２３４は、ハードディスク装置や不揮発性メモリ等の記憶デバイスであり、紙幣在高データ２３４ａ及び入出金履歴データ２３４ｂを有する。紙幣在高データ２３４ａは、紙幣釣銭機２００内で管理する紙幣の金種別の在高を示すデータである。入出金履歴データ２３４ｂは、紙幣釣銭機２００で行われた紙幣の受け払いの履歴を記録したデータである。
【００７１】
制御部２３０は、紙幣釣銭機２００の全体を制御する制御部であり、入出金処理部２３０ａ、補充処理部２３０ｂ、回収処理部２３０ｃ及び精査処理部２３０ｄを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【００７２】
入出金処理部２３０ａは、紙幣の入金処理及び出金処理全体を制御する処理部である。また、入出金処理部２３０ａは、紙幣入出金が終了したならば、入出金履歴データ２３４ｂの更新を行うとともに、金種ごとの入出金の内容に基づいて紙幣在高データ２３４ａの更新を行う。
【００７３】
補充処理部２３０ｂは、紙幣受入部２１４で受け付けた紙幣の紙幣収納部２０６への補充処理の全体を制御する処理部である。また、補充処理部２３０ｂは、釣銭準備金が収納された運用カセット２０７が装着された状態において、運用カセット２０７からの補充の指示を受け付けた場合には、装着された運用カセット２０７から紙幣を繰り出して、繰り出した紙幣の識別を行った後に紙幣収納部２０６に搬送して収納する。補充処理部２３０ｂは、補充処理により紙幣収納部２０６に収納された紙幣の枚数に応じて紙幣在高データ２３４ａの更新を行う。また、補充処理部２３０ｂは、補充処理に係る情報を入出金履歴データ２３４ｂに登録する。
【００７４】
回収処理部２３０ｃは、硬貨釣銭機１００を経由してＰＯＳレジスタ３００から回収の指示を受け付けた場合、若しくは硬貨釣銭機１００の表示操作部１１２の操作による回収の指示を受け付けた場合に、金種ごとに指定された枚数の紙幣を紙幣収納部２０６から繰り出して運用カセット２０７に回収する。尚、全回収が指示された場合には、紙幣収納部２０６内に収納される全ての紙幣が回収される。また、回収処理部２３０ｃは、回収された紙幣の枚数に応じて紙幣在高データ２３４ａの更新を行う。また、回収処理部２３０ｃは、回収処理に係る情報を入出金履歴データ２３４ｂに登録する。また、回収処理部２３０ｃは、運用カセット２０７への回収処理が終了すると、対応する店舗の識別情報、ＰＯＳレジスタ３００の識別情報及び回収した金種別の枚数の情報を含む個別回収通知を、ＰＯＳレジスタ３００及びＰＯＳサーバ７００を経由して現金センタに送信する。
【００７５】
回収処理部２３０ｃは、回収指示に基づく運用カセット２０７への紙幣回収処理が終了すると、引き続いて紙幣釣銭機２００内に残る紙幣の在高を評価し、翌日の営業にあたり紙幣の釣銭準備金の補充が必要と判定した場合には、ＰＯＳレジスタ３００を経由してカセット回収機５００に、払出を要求する金種別の枚数の情報を含む釣銭補充要求を送信する。
【００７６】
精査処理部２３０ｄは、ＰＯＳレジスタ３００から自動精査の指示を受け付けた場合、若しくは表示操作部１１２の操作による自動精査の指示を受け付けた場合に、１金種目の紙幣収納部２０６から紙幣を繰り出して運用カセット２０７に送り込む。紙幣収納部２０６内の全ての紙幣が運用カセット２０７に送り込まれたならば、該紙幣を繰り出して、紙幣識別部２０１で識別した後に、元の紙幣収納部２０６に収納する。このようにして、紙幣収納部２０６から繰り出された全ての紙幣が紙幣識別部２０１を通って元の紙幣収納部２０６に再び収納されると当該金種の在高を確認することができる。これらの処理を、全ての金種の紙幣収納部２０６に対して実施することにより、全ての金種の在高を確認することができる。また、これらの自動精査の処理により確認された金種別の在高と、これらの処理以前に記憶されていた紙幣在高データ２３４ａとを照合して、不一致であった場合には自動精査の処理により確認された金種別の在高で紙幣在高データ２３４ａを更新する。また、精査処理部２３０ｄは、金種指定の自動精査を行うこともできる。また、精査処理部２３０ｄは、自動精査処理の履歴を入出金履歴データ２３４ｂに記録する。
【００７７】
入出金処理部２３０ａ、補充処理部２３０ｂ、回収処理部２３０ｃ及び精査処理部２３０ｄは、それぞれの処理の結果、紙幣在高データ２３４ａ及び入出金履歴データ２３４ｂの更新を行う場合には、硬貨釣銭機１００を経由して更新内容をＰＯＳレジスタ３００に通知する。
【００７８】
図５に示すように、棒金収納機４００は、通信部４３２、棒金収納部４０１、ロック部４０２、記憶部４３４及び制御部４３０を備えている。通信部４３２は、通信回線を通して硬貨釣銭機１００とのデータ通信を行うためのインタフェース部である。
【００７９】
棒金収納部４０１は、筐体から引き出すことが可能な引出状の収納部であり、棒金が１本ずつ収納されるポケット部が備えられている。棒金収納部４０１は金種ごとに収納する位置が決まっており、位置ごとに収納されているか否か、正しい金種の棒金が収納されているか否かを検知するセンサを有している。ロック部４０２は、棒金収納部４０１の筐体からの引き出しを制限する電磁ロックである。
【００８０】
記憶部４３４は、ハードディスク装置や不揮発性メモリ等の記憶デバイスであり、棒金在高データ４３４ａを有する。棒金在高データ４３４ａは、棒金収納部４０１に収納されている棒金の在高である金種別の棒金の本数を示すデータである。制御部４３０は、棒金収納機４００の全体を制御する制御部である。制御部４３０は、棒金収納部４０１に収納されている棒金の在高が変化した場合には、変化に準じて棒金在高データ４３４ａの更新を行うとともに、硬貨釣銭機１００を経由して棒金在高データ４３４ａの更新内容をＰＯＳレジスタ３００に通知する。
【００８１】
次に、図２に示したＰＯＳレジスタ３００の本実施例に係る機能的な内部構成を説明する。図６は、ＰＯＳレジスタ３００の本実施例に係る機能的な内部構成を示すブロック図である。
【００８２】
図６に示すように、ＰＯＳレジスタ３００は表示部３０２、操作部３０４、プリンタ３０６、バーコードリーダ３０８、ＰＯＳレジスタ３００を操作する担当者のカードの情報を読み取るカードリーダ３１０、通信部３３２、記憶部３３４及び制御部３３０を備えている。
【００８３】
記憶部３３４は、ハードディスク装置や不揮発性メモリ等の記憶デバイスであり、在高データ３３４ａ及び取引履歴データ３３４ｂを有する。在高データ３３４ａは、接続される硬貨釣銭機１００、紙幣釣銭機２００及び棒金収納機４００から通知される硬貨在高データ１３４ａ、紙幣在高データ２３４ａ及び棒金在高データ４３４ａを記憶したデータである。取引履歴データ３３４ｂは、ＰＯＳレジスタ３００で決済された顧客との取引の履歴のデータを含む。また、取引履歴データ３３４ｂは、釣銭の補充処理、回収処理及び装置のエラー発生の状況などの履歴の情報も含む。
【００８４】
制御部３３０は、ＰＯＳレジスタ３００の全体を制御する制御部であり、履歴情報管理部３３０ａ、補充回収処理部３３０ｂ、精査処理部３３０ｃ及び商品決済処理部３３０ｄを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【００８５】
履歴情報管理部３３０ａは、ＰＯＳレジスタ３００で処理される商品代金の決済処理だけではなく、釣銭機に対する釣銭準備金の補充処理、釣銭機からの現金の回収処理、釣銭機における自動精査処理及びエラー発生の状況などを取引履歴データ３３４ｂに記録するとともに、記録した内容をＰＯＳサーバ７００に送信する。また、履歴情報管理部３３０ａは、ＰＯＳサーバ７００に取引履歴データ３３４ｂの更新内容を送信する場合に、在高データ３３４ａが更新されている場合には、在高データ３３４ａの更新内容も併せてＰＯＳサーバ７００に送信する。
【００８６】
補充回収処理部３３０ｂは、補充処理の操作を受け付けて、釣銭準備金として払い出された貨幣の補充処理を行う。具体的には、補充処理の操作を受付けたならば、硬貨釣銭機１００に対してバラ硬貨の釣銭準備金の補充指示を行い、紙幣釣銭機２００に対して紙幣の釣銭準備金の補充指示を行い、棒金収納機４００に対して棒金の補充指示を行う。バラ硬貨の釣銭準備金の補充指示を受け付けた硬貨釣銭機１００は、硬貨受入部１１４に投入されたバラ硬貨を真贋判定及び計数して硬貨収納部１０６に収納し、収納した硬貨の金種別の枚数を硬貨在高データ１３４ａに反映する。また、紙幣の釣銭準備金の補充は、紙幣受入部２１４を使用した補充と、運用カセット２０７を使用した補充とがあり、紙幣受入部２１４を使用した紙幣の釣銭準備金の補充の指示を受け付けた場合には、紙幣釣銭機２００は、紙幣受入部２１４に挿入された紙幣の真贋判定及び計数を行って紙幣収納部２０６に収納し、収納した紙幣の金種別の枚数を紙幣在高データ２３４ａに反映する。また、運用カセット２０７を使用した紙幣の釣銭準備金の補充の指示を受け付けた場合には、紙幣釣銭機２００は、運用カセット２０７から繰り出した紙幣の真贋判定及び計数を行って紙幣収納部２０６に収納し、収納した紙幣の金種別の枚数を紙幣在高データ２３４ａに反映する。また、棒金の補充指示を受け付けた棒金収納機４００は、棒金収納部４０１を開けて棒金を受け付けて、受け付けた棒金の情報を棒金収納部４０１で検知し、検知した内容を棒金在高データ４３４ａに反映する。
【００８７】
補充回収処理部３３０ｂは、回収に係る指示操作を受け付けて、受け付けた内容に応じた貨幣の回収処理を硬貨釣銭機１００、紙幣釣銭機２００及び棒金収納機４００に対して指示を行う。回収に係る指示は、硬貨釣銭機１００、紙幣釣銭機２００及び棒金収納機４００に収納されている全ての貨幣を回収する全回収の指示と、金種別の数量を指定して回収する数量指定回収の指示と、機内に残す貨幣の金額や金種別の枚数を指定して余剰分を回収する残置回収の指示がある。
【００８８】
精査処理部３３０ｃは、操作部３０４等を用いた自動精査に係る指示を受け付けて、受け付けた内容に応じた自動精査を硬貨釣銭機１００及び紙幣釣銭機２００に対して指示する。自動精査に係る指示には、全金種の自動精査や一部金種を指定した自動精査がある。棒金収納機４００については、硬貨釣銭機１００及び紙幣釣銭機２００のように装置内で貨幣を循環させなくとも硬貨棒金の在高を検知することができる。硬貨釣銭機１００及び紙幣釣銭機２００に対して指示した自動精査の処理の結果として、確認後の硬貨及び紙幣の在高が通知されると在高データ３３４ａに反映されると共に、ＰＯＳサーバ７００に通知する。
【００８９】
商品決済処理部３３０ｄは、バーコードリーダ３０８及び操作部３０４により決済対象の商品の種類及び数の入力を受け付けて、受け付けた内容に対応する商品代金を算出する。また、商品決済処理部３３０ｄは、硬貨釣銭機１００及び紙幣釣銭機２００に投入された貨幣額を硬貨釣銭機１００から受け付けて、算出した商品代金との差額を釣銭として払い出す旨の指示を硬貨釣銭機１００及び紙幣釣銭機２００に行う。また、商品決済処理部３３０ｄは、商品決済に係る商品の情報、受け付けた貨幣の情報、払い出した釣銭の情報などの情報を履歴データとして取引履歴データ３３４ｂに登録する。
【００９０】
次に、図５に示した硬貨釣銭機１００、紙幣釣銭機２００及び棒金収納機４００の本実施例に係るデータ構成について図７を用いて説明する。
【００９１】
硬貨在高データ１３４ａは、硬貨釣銭機１００の硬貨金種別の機内在高と、金種別の硬貨収納部１０６に収納することができなかったあふれ硬貨の枚数と、当該硬貨釣銭機１００が精査待ちになっているか否かの情報と、エラー発生中である場合には発生中のエラーコードとを含む。精査待ちの情報は、コード化されたデータであって、「０」は精査待ちではないことを示し、「１」は精査待ちであることを示す。図７の硬貨在高データ１３４ａの例は、５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚で、精査待ちは「０」であり精査待ちではなく、エラーコードの情報がなくエラー発生中ではないことを示すレコードが含まれていることを表している。
【００９２】
入出金履歴データ１３４ｂは、処理が行われた日時に関連付けられた処理区分、受け付けた金種別の硬貨の枚数である金種別受付枚数と、払い出した金種別の硬貨の枚数である金種別払出枚数と、当該処理でエラーが発生した場合のエラーコードとをレコードの保有項目とするデータである。処理区分はコード化された情報であって行われた処理内容を示す情報であり、「１」は代金決済で、「２」は両替で、「３」は補充で、「４」は棒金収納機４００に収納されている棒金を取り出して硬貨釣銭機１００に補充するくずし補充で、「５」は全回収以外の部分回収で、「６」は装置内の貨幣の数量を検査する自動精査で、「７」は全回収で、「８」はエラー発生であることを示している。
【００９３】
図７の入出金履歴データ１３４ｂの例は、日時が「２０１４／４／１０  １８：３０」に処理区分「１」の示す代金決済処理が行われ、硬貨は受け付けていなくて、１００円貨を「２」枚を払い出し、この処理においてエラーの発生はなかったことを示すレコードが含まれていることを示している。
【００９４】
紙幣在高データ２３４ａは、紙幣釣銭機２００の紙幣金種別の機内在高と、紙幣収納部２０６から正しく繰り出すことができなかったリジェクト件数と、金種別の紙幣収納部２０６に収納することができなかったあふれ紙幣の枚数と、紙幣釣銭機２００が精査待ちになっているか否かの情報と、エラー発生中である場合には発生中のエラーコードとを含む。である。図７の紙幣在高データ２３４ａの例は、万円券が「３０」枚で、五千円券が「２０」枚で、千円券が「１２０」枚で、リジェクト件数が「５」件で、あふれ券数が「０」枚で、精査待ちは「０」であり精査待ちではなく、エラーコードの情報がなくエラー発生中ではないことを示している。
【００９５】
入出金履歴データ２３４ｂは、処理が行われた日時に関連付けられた処理区分、受け付けた紙幣の金種別の枚数である金種別受付枚数と、払い出した紙幣の金種別の枚数である金種別払出枚数をレコードの保有項目とするデータである。処理区分はコード化されたデータであってコードの意味は先に説明した入出金履歴データ１３４ｂの処理区分と同じである。図７の入出金履歴データ２３４ｂの例は、日時が「２０１４／４／１０  １８：３０」に処理区分「１」の示す代金決済処理が行われ、万円券「１」枚を受け付けて、五千円券「１」枚を払い出して、エラーコードの情報がなくエラー発生中ではないことを示すレコードが含まれていることを表している。
【００９６】
棒金在高データ４３４ａは、棒金収納機４００の硬貨金種別の棒金の機内在高と、エラー発生中である場合には発生中のエラーコードとを含む。図７の棒金在高データ４３４ａの例は、棒金収納機４００の硬貨金種別の棒金の機内在高が、５００円貨の棒金が「０」本で、１００円貨の棒金が「２」本で、５０円貨の棒金が「１」本で、１０円貨の棒金が「１」本で、５円貨の棒金が「１」本で、１円貨の棒金が「０」本であり、エラーコードの情報がなくエラー発生中ではないことを示している。
【００９７】
次に、図６に示したＰＯＳレジスタ３００の本実施例に係るデータ構成について図８を用いて説明する。
【００９８】
在高データ３３４ａは、硬貨釣銭機１００、紙幣釣銭機２００及び棒金収納機４００から通知された硬貨在高データ１３４ａ、紙幣在高データ２３４ａ及び棒金在高データ４３４ａを記憶したデータであって、紙幣在高データ２３４ａに対応する紙幣の金種別の在高の情報と、硬貨釣銭機１００に対応するバラの硬貨の在高の情報と、棒金収納機４００に対応する棒金の硬貨の在高の情報とを含んでいる。
【００９９】
図８の在高データ３３４ａの例は、紙幣釣銭機２００の在高は万円券が「３０」枚で、五千円券が「２０」枚で、千円券が「１２０」枚で、リジェクト件数が「５」件で、あふれ券数が「０」枚であり、精査待ちは「０」であり精査待ちではなく、エラーコードの情報がなくエラー発生中ではなく、硬貨釣銭機１００の在高は５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚であり、精査待ちは「０」であり精査待ちではなく、エラーコードの情報がなくエラー発生中ではなく、棒金収納機４００の在高は５００円貨の棒金が「０」本で、１００円貨の棒金が「２」本で、５０円貨の棒金が「１」本で、１０円貨の棒金が「１」本で、５円貨の棒金が「１」本で、１円貨の棒金が「０」本であり、エラーコードの情報がなくエラー発生中ではないことを示している。
【０１００】
取引履歴データ３３４ｂは、処理が行われた日時と、レジ番号と、処理区分と、当該処理で発行されたレシートを識別するレシート番号と、当該処理の取引額と、取引額のうちのクレジットカードによる決済額と、取引額のうちの商品券による決済額と、受け付けた金種別の貨幣の枚数と、払い出した金種別の貨幣の枚数と、硬貨釣銭機１００、紙幣釣銭機２００及び棒金収納機４００のエラーコードと、処理区分が「１」の代金決済の場合の購入した商品に係る情報などをレコードの保有項目とするデータである。処理区分はコード化されたデータであってコードの意味は先に説明した入出金履歴データ１３４ｂの処理区分と同じである。また、処理区分が「３」の補充の場合には、レシート番号には、補充処理で読み取る釣銭準備金払出レシートのレシート番号が記録される。
【０１０１】
図８の取引履歴データ３３４ｂの例は、日時が「２０１４／４／１０  １８：３０」に、レジ番号が「１０１」のレジにおいて、処理区分「１」の示す代金決済処理が行われ、レシート番号が「０２９５」のレシートが発行され、取引額が「４，８００」円で、クレジット決済額及び商品券決済額はともに「０」円で、万円券「１」枚を受け付けて、五千円券「１」枚と、１００円貨「２」枚を払い出したことを示すレコードが含まれていることを表している。
【０１０２】
次に、図２に示したカセット回収機５００の外観構成について図９を用いて説明する。
【０１０３】
カセット回収機５００は、筐体の上部にタッチパネル式の液晶ディスプレイなどの表示操作部５１２を備えている。また、該表示操作部５１２の右側には操作者の認証に使用するカードの内容を読み取るスライド式のカードリーダ５１３を備えている。
【０１０４】
また、カセット回収機５００の前面には、バラ紙幣を受け入れる紙幣受入口５１４ａと、紙幣取出口５１６ａとを備えている。また、紙幣取出口５１６ａの下部には、紙幣釣銭機２００の運用カセット２０７を装着する運用カセット装着部５０７を有する。運用カセット２０７を装着する運用カセット装着部５０７は、紙幣釣銭機２００側の運用カセット２０７を装着する部分と共通の構造となっており、運用カセット２０７が備えている繰り出し機構に対して駆動力を伝えることができる構造となっている。これによって、運用カセット装着部５０７に装着した運用カセット２０７から紙幣を繰り出すことができる。
【０１０５】
また、カセット回収機５００の前面下部には装置内の回収カセット５２０を取り出すための施錠可能な下部ユニット扉５２１を備えている。回収カセット５２０は、カセット回収機５００から取り出されると、紙幣の搬送路に対して開口していた口が自動的に閉鎖される構造となっている。また、回収カセット５２０は、内部に収納された紙幣を取り出すには回収カセット５２０の扉を開ける必要があり、この扉にも施錠機構が設けられている。このため、回収カセット５２０をカセット回収機５００から取り出したとしても、回収カセット５２０の扉を開ける鍵がなければ内部に収納されている紙幣に触れることはできない。また、回収カセット５２０は、運用カセット２０７と比較すると収納容量が大きく、多数の紙幣釣銭機２００から回収された紙幣を収納できるように構造となっている。
【０１０６】
次に、図２に示したカセット回収機５００の本実施例に係る装置内部の物理構成について図１０を用いて説明する。
【０１０７】
カセット回収機５００（特に上部ユニット）は、紙幣釣銭機２００と構造的に共通の部分が多い。これらの構造を共通化することにより、装置の開発や製造段階において、所要工数やコストの低減につながる。一方、構造的に異なる部分は、カセット回収機５００は紙幣収納部５０６が２つであるのに対して、紙幣釣銭機２００は紙幣収納部２０６を３つ有している点である。更に、カセット回収機５００は、大容量の着脱可能な回収カセット５２０を備えており、紙幣を回収カセット５２０へ送り込む搬送機構が異なる。尚、回収カセット５２０は、大容量でありサイズが大きいことから、下方に拡張された筐体部分（下部ユニット）に配置されている。
【０１０８】
カセット回収機５００は、この筐体内の上端に近い部分の前後方向の略中央部に環状の周回搬送部５０３ａを備えている。また、紙幣受入口５１４ａを有する紙幣受入部５１４、２つの紙幣収納部５０６、紙幣取出口５１６ａを有する紙幣払出部５１６、出金リジェクト部５０４、運用カセット装着部５０７及び回収カセット５２０が、周回搬送部５０３ａから外周を取り囲むように配置されている。
【０１０９】
また、カセット回収機５００の筐体の内部には、紙幣受入部５１４、紙幣収納部５０６、紙幣払出部５１６、出金リジェクト部５０４、運用カセット装着部５０７及び回収カセット５２０と、周回搬送部５０３ａとの間をそれぞれ接続する複数の接続搬送部５０３ｂが形成されている。また、周回搬送部５０３ａには紙幣識別部５０１が設けられており、この紙幣識別部５０１は、当該紙幣識別部５０１を通過する紙幣の識別（真偽、金種）を行う。また、周回搬送部５０３ａと接続搬送部５０３ｂとの間で紙幣の搬送経路を切り換える経路切換部（図示せず）が、周回搬送部５０３ａに沿って配置されている。
【０１１０】
紙幣収納部５０６は、釣銭準備金として払い出す貨幣を装填することが可能である。釣銭準備金として払い出す貨幣であることから、通常は五千円券及び千円券が割り当てられることになる。このように紙幣収納部５０６を釣銭準備金として払い出す紙幣を装填した場合には、運用カセット装着部５０７に装着された運用カセット２０７に釣銭準備金を払い出すことができる。
【０１１１】
また、紙幣収納部５０６が無い構成として釣銭準備金の払い出しは行わないようにしてもよい。また、紙幣収納部５０６を１つだけ設けるものとして、運用カセット装着部５０７に装着された運用カセット２０７から繰り出した紙幣の一時保留部として使用するようにしてもよい。その場合には、運用カセット２０７から繰り出した紙幣を紙幣識別部５０１で識別して、一旦紙幣収納部５０６に収納して、紙幣識別部５０１で識別した結果である金種別の枚数を表示操作部５１２に表示して、表示操作部５１２に表示した内容に関する承認操作を受け付けたならば紙幣収納部５０６に一旦収納された紙幣を繰り出して、回収カセット５２０に搬送して収納するようにしてもよい。尚、非承認操作を受けた場合は、紙幣収納部５０６内の保留紙幣は運用カセット２０７へ戻され、取出し可能となる。
【０１１２】
次に、図２に示したカセット回収機５００の本実施例に係る機能的な内部構成を説明する。図１１は、カセット回収機５００の本実施例に係る機能的な内部構成を示すブロック図である。
【０１１３】
カセット回収機５００は、通信部５３２、紙幣受入部５１４、周回搬送部５０３ａ、接続搬送部５０３ｂ、紙幣識別部５０１、紙幣収納部５０６、出金リジェクト部５０４、紙幣払出部５１６、運用カセット装着部５０７、回収カセット５２０、下部ユニット扉５２１、表示操作部５１２、カードリーダ５１３、記憶部５３４及び制御部５３０を備えている。通信部５３２は、通信線９０を通してＰＯＳサーバ７００及び現金センタとのデータ通信を行うためのインタフェース部である。紙幣受入部５１４、周回搬送部５０３ａ、接続搬送部５０３ｂ、紙幣識別部５０１、紙幣収納部５０６、出金リジェクト部５０４及び紙幣払出部５１６は紙幣釣銭機２００と同じ構成要素であることから説明を省略する。また、運用カセット装着部５０７、回収カセット５２０、下部ユニット扉５２１、表示操作部５１２及びカードリーダ５１３については、図９又は図１０で説明しているのでここでの説明は省略する。
【０１１４】
記憶部５３４は、ハードディスク装置や不揮発性メモリ等の記憶デバイスであり、紙幣在高データ５３４ａ、レジ回収状況データ５３４ｂ及び釣銭補充要求データ５３４ｃを有する。紙幣在高データ５３４ａは、カセット回収機５００内で管理する紙幣の金種別の在高を示すデータであり、紙幣収納部５０６に収納されている紙幣の在高の情報と回収カセット５２０に収納されている紙幣の在高の情報とを有する。レジ回収状況データ５３４ｂは、店舗内のレジごとに当日回収した紙幣を当該カセット回収機５００に収納済みか否かの情報と、既に収納済みの場合には収納した紙幣の金種別の枚数の情報とを有する。また、釣銭補充要求データ５３４ｃは、紙幣釣銭機２００から受け付けた釣銭補充要求の内容と、該釣銭補充要求に対応する釣銭準備金の払い出し実績を管理するデータである。また、レジ回収状況データ５３４ｂや釣銭補充要求データ５３４ｃには、操作された日時情報が追加されてもよい。
【０１１５】
制御部５３０は、紙幣釣銭機２００の全体を制御する制御部であり、カセット回収処理部５３０ａ、バラ紙幣回収処理部５３０ｂ、カセット取出処理部５３０ｃ及び釣銭準備金払出処理部５３０ｄを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【０１１６】
カセット回収処理部５３０ａは、運用カセット装着部５０７に装着された運用カセット２０７から紙幣を繰り出して、紙幣識別部５０１で識別を実施後に回収カセット５２０に収納する。また、カセット回収処理部５３０ａは、運用カセット２０７から繰り出して収納した紙幣の金種別枚数を紙幣在高データ５３４ａに加算し、レジ回収状況データ５３４ｂに処理結果を反映するとともに、現金センタに店舗の識別情報と、装着した運用カセット２０７に対応するＰＯＳレジスタ３００の識別情報と、回収カセット５２０に収納した紙幣の金種別の枚数とを含む回収紙幣収納通知を送信する。
【０１１７】
バラ紙幣回収処理部５３０ｂは、紙幣受入口５１４ａに投入された紙幣を紙幣識別部５０１で識別を実施後に回収カセット５２０に収納する。またバラ紙幣回収処理部５３０ｂは、カセット回収処理部５３０ａと同様に紙幣在高データ５３４ａ及びレジ回収状況データ５３４ｂに処理結果を反映し、現金センタに回収紙幣収納通知を送信する。同一のＰＯＳレジスタ３００に接続された紙幣釣銭機２００から回収されたバラ紙幣及び運用カセット２０７を受け付けてそれぞれの入金が行われた場合に、その合算分を当該ＰＯＳレジスタ３００の識別情報に対応するレジ回収状況データ５３４ｂに反映するようにしてもよい。
【０１１８】
カセット取出処理部５３０ｃは、現金センタに店舗の識別情報と、紙幣在高データ５３４ａの回収カセット５２０に収納されている紙幣の在高の情報とを含む回収カセット取出通知を送信して、紙幣在高データ５３４ａの回収カセット５２０に収納されている紙幣の在高をゼロにクリアする。
【０１１９】
釣銭準備金払出処理部５３０ｄは、運用カセット装着部５０７に装着された運用カセット２０７に収納された紙幣を回収カセット５２０に収納する処理が終了後に、釣銭補充要求データ５３４ｃを検索して装着された運用カセット２０７に対応する未処理の釣銭補充要求に対応するデータがある場合には、該データに基づいて釣銭準備金として紙幣収納部５０６から紙幣を運用カセット２０７に払い出す。また、釣銭準備金払出処理部５３０ｄは、釣銭補充要求データ５３４ｃの対応するレコードの情報を処理済みに更新し、釣銭準備金の払い出しに応じて紙幣在高データ５３４ａの更新を行う。
【０１２０】
次に、図２に示したカセット回収機５００の本実施例に係るデータ構成について図１２を用いて説明する。
【０１２１】
紙幣在高データ５３４ａは、紙幣収納部５０６に収納されている紙幣の金種別枚数と、回収カセット５２０に収納されている紙幣の金種別枚数の情報である。尚、出金リジェクト部５０４については、金種や枚数を識別できないことが多い為、出金リジェクトの発生回数を管理する。図１２の紙幣在高データ５３４ａの例は、紙幣収納部５０６に五千円券が「２５０」枚、千円券が「３００」枚、回収カセット５２０に万円券が「８５０」枚、五千円券が「３５」枚、千円券が「４０」枚収納され、出金リジェクト部５０４には紙幣が送り込まれていないことを示している。
【０１２２】
レジ回収状況データ５３４ｂは、レジ識別情報に関連付けられた回収済区分と、リジェクトの有無と、金種別の回収枚数とをレコードの項目とするデータである。回収済区分は、レジ識別番号に対応するＰＯＳレジスタ３００に接続された紙幣釣銭機２００の運用カセット２０７で回収された紙幣のカセット回収機５００への収納が行われているか否かの情報である。リジェクトの有無は、紙幣釣銭機２００の運用カセット２０７で回収された紙幣のカセット回収機５００への収納が既に行われている場合で、運用カセット２０７から繰り出した紙幣のうち、斜行等により紙幣識別部５０１で識別することができない紙幣が紙幣払出部５１６に排出された紙幣があったか否かを示す。
【０１２３】
図１２のレジ回収状況データ５３４ｂの例は、レジ識別番号が「１０１」のＰＯＳレジスタ３００に接続される紙幣釣銭機２００からの、運用カセット２０７を用いた紙幣の回収は「済」であり実施済みで、リジェクトされた紙幣は「無」で、回収された紙幣は万円券が「２０」枚で、五千円券が「１」枚で、千円券が「３」枚であることを示している。また、レジ識別番号が「１０２」のＰＯＳレジスタ３００に接続される紙幣釣銭機２００からの、運用カセット２０７を用いた紙幣の回収は「未済」であり、まだ実施されていないことを示している。
【０１２４】
釣銭補充要求データ５３４ｃは、レジ識別情報に関連付けられた実施区分と、釣銭補充要求として受け付けた金種別の払出要求枚数の情報をレコードの項目とするデータである。実施区分は、受け付けた釣銭補充要求に対応する釣銭準備金の払い出しが実施済みであるか否かを示す情報である。
【０１２５】
図１２の釣銭補充要求データ５３４ｃの例は、レジ識別番号が「３０２」のＰＯＳレジスタ３００に接続される紙幣釣銭機２００からの釣銭補充要求に対する釣銭準備金の払い出しが「済」であり実施済みで、紙幣釣銭機２００からの釣銭補充要求の内容が五千円券が「１０」枚、千円券が「３０」枚であることを示している。また、レジ識別番号が「４０１」のＰＯＳレジスタ３００に接続される紙幣釣銭機２００からの釣銭補充要求に対する釣銭準備金の払い出しが「未済」でありまだ実施されておらず、紙幣釣銭機２００からの釣銭補充要求の内容が五千円券が「１０」枚、千円券が「５０」枚であることを示している。
【０１２６】
次に、図２に示した紙幣釣銭機２００における紙幣回収処理の処理手順について図１３に示すフローチャートを用いて説明する。
【０１２７】
紙幣の回収指示を受け付けたならば、回収処理部２３０ｃは、指示された金種別枚数の紙幣を紙幣収納部２０６から繰り出して運用カセット２０７に搬送して収納し、運用カセット２０７に収納した紙幣分を紙幣在高データ２３４ａから減算し、当該回収処理の内容を入出金履歴データ２３４ｂに登録する（ステップＳ１０１）。
【０１２８】
回収処理部２３０ｃは、ステップＳ１０１で更新した紙幣在高データ２３４ａ及び入出金履歴データ２３４ｂの内容をＰＯＳサーバ７００に送信する（ステップＳ１０２）。また、回収処理部２３０ｃは、自装置に対応する店舗の識別情報と、自装置に対応するＰＯＳレジスタ３００の識別情報及び回収した金種別の枚数の情報を含む個別回収通知を、ＰＯＳレジスタ３００及びＰＯＳサーバ７００を経由して、現金センタに送信する(ステップＳ１０３)。
【０１２９】
紙幣釣銭機２００内に残る紙幣の在高を評価し、翌日の営業にあたり紙幣の釣銭準備金が不足していると判定された場合（ステップＳ１０４；Ｙｅｓ）には、回収処理部２３０ｃは、ＰＯＳレジスタ３００を経由してカセット回収機５００に、自装置に対応するＰＯＳレジスタ３００の識別情報及び払出を要求する金種別の枚数の情報を含む釣銭補充要求を送信して（ステップＳ１０５）、処理を終了する。翌日の営業にあたり紙幣の釣銭準備金が不足していないと判定された場合（ステップＳ１０４；Ｎｏ）には、ステップＳ１０５の処理をスキップして処理を終了する。
【０１３０】
次に、図２に示したカセット回収機５００における紙幣釣銭機２００から回収された紙幣を収納するときの処理手順について、図１４を用いて説明する。
【０１３１】
カセット回収機５００において紙幣釣銭機２００から回収した運用カセット２０７による紙幣の収納を行う旨の操作を受け付けたときに、ＰＯＳレジスタ３００を扱う店舗側の担当者のカードが読み取られている場合（ステップＳ２０１；Ｙｅｓ）には、カセット回収処理部５３０ａは、運用カセット２０７を運用カセット装着部５０７に装着する旨のメッセージを表示するとともに運用カセット２０７の装着を受け付ける（ステップＳ２０２）。また、ＰＯＳレジスタ３００を扱う店舗側の担当者以外のカードが読み取られていない場合（ステップＳ２０１；Ｎｏ）には、当該処理権限がない旨のメッセージを表示して（ステップＳ２０８）、処理を終了する。
【０１３２】
カセット回収処理部５３０ａは、ステップＳ２０２で運用カセット装着部５０７に装着された運用カセット２０７から紙幣を繰り出して、紙幣識別部５０１で識別した後に回収カセット５２０に収納する（ステップＳ２０３）。紙幣識別部５０１で識別した結果、斜行等で識別できない紙幣についての扱いについては設定することができ、紙幣払出部５１６に排出するか、出金リジェクト部５０４に収納するか、識別できなかったとしても回収カセット５２０に収納するかの指定をすることが可能である。本実施例では紙幣払出部５１６に排出して、リジェクトがあった旨のメッセージの出力を行うものとする。
【０１３３】
カセット回収処理部５３０ａは、ステップＳ２０３で行われた運用カセット２０７から繰り出して回収カセット５２０に収納した結果をレジ回収状況データ５３４ｂに登録する（ステップＳ２０４）。カセット回収処理部５３０ａは、当該装置に対応する店舗の識別情報と、担当者カードから読み取った内容に基づいて特定されるＰＯＳレジスタ３００の識別情報と回収カセット５２０に収納した金種別の枚数等の情報を含む回収紙幣収納通知を、現金センタに送信する（ステップＳ２０５）。
【０１３４】
次に、釣銭補充要求データ５３４ｃを検索して、担当者カードから読み取った内容に基づいて特定されるＰＯＳレジスタ３００に対する未処理の釣銭補充要求がある場合（ステップＳ２０６；Ｙｅｓ）には、釣銭準備金払出処理部５３０ｄは、釣銭補充要求データ５３４ｃの対応するレコードに登録された釣銭補充要求の内容に基づいて、紙幣収納部５０６から運用カセット２０７に釣銭準備金として紙幣を払い出して収納して（ステップＳ２０７）、処理を終了する。釣銭補充要求データ５３４ｃを検索して、担当者カードから読み取った内容に基づいて特定されるＰＯＳレジスタ３００に対する未処理の釣銭補充要求がない場合（ステップＳ２０６；Ｎｏ）には、ステップＳ２０７の処理はスキップして処理を終了する。
【０１３５】
図１４に示したフローチャートでは、運用カセット２０７による紙幣の収納を行う旨の操作を受け付けたときに、ステップＳ２０１において当該処理を実施する権限の有無を判定するようにしたが、ＰＯＳレジスタ３００を扱う店舗側の担当者のカードが読み取られている場合に限り、運用カセット２０７による紙幣の収納を行う旨の操作が行えるように制御するようにしてもよい。
【０１３６】
次に、図２に示したカセット回収機５００から回収カセット５２０を取り出すときの処理手順について図１５に示すフローチャートを用いて説明する。
【０１３７】
カセット回収機５００において回収カセット５２０の取り出しを行う旨の操作を受け付けたときに、回収カセット５２０の取り出しを担当する警送会社の担当者のカードが読み取られている場合（ステップＳ３０１；Ｙｅｓ）には、カセット取出処理部５３０ｃは、回収カセット５２０を取り出し可能とするように下部ユニット扉５２１を解錠して（ステップＳ３０２）、回収カセット５２０を取り出す旨のメッセージを表示する（ステップＳ３０３）。回収カセット５２０の取り出しを担当する警送会社の担当者以外のカードが読み取られている場合（ステップＳ３０１；Ｎｏ）には、当該処理権限がない旨のメッセージを表示して（ステップＳ３１０）、処理を終了する。
【０１３８】
回収カセット５２０が取り出されたことを検知したならば（ステップＳ３０４；Ｙｅｓ）、カセット取出処理部５３０ｃは、当該装置に対応する店舗の識別情報と、紙幣在高データ５３４ａに管理されている回収カセット５２０の金種別の在高の情報とを含む回収カセット取出通知を現金センタに送信する（ステップＳ３０５）。回収カセット５２０が取り出されたことを検知されなければ（ステップＳ３０４；Ｎｏ）、ステップＳ３０４に戻ることによって回収カセット５２０が取り出されることを待ち合わせる。
【０１３９】
カセット取出処理部５３０ｃは、空の回収カセット５２０を装着して下部ユニット扉５２１を閉じる旨のメッセージを表示する（ステップＳ３０６）。回収カセット５２０の装着が検知され（ステップＳ３０７；Ｙｅｓ）、下部ユニット扉５２１が閉じられたことが検知されたならば（ステップＳ３０８；Ｙｅｓ）、カセット取出処理部５３０ｃは、下部ユニット扉５２１を施錠して（ステップＳ３０９）、処理を終了する。回収カセット５２０の装着が検知されていない（ステップＳ３０７；Ｎｏ）場合には、ステップＳ３０７に戻ることにより回収カセット５２０の装着を待ち合わせる。また、下部ユニット扉５２１が閉じられたことが検知されない（ステップＳ３０８；Ｎｏ）場合には、ステップＳ３０８に戻ることによって下部ユニット扉５２１が閉じられることを待ち合わせる。
【０１４０】
図１５に示したフローチャートには記載していないが、ステップＳ３０２を実行する前に、レジ回収状況データ５３４ｂの回収済区分を参照して、まだ紙幣釣銭機２００から回収した紙幣のカセット回収機５００への収納が終了していないＰＯＳレジスタ３００が店舗内に存在する場合には、回収紙幣の収納が終了していないＰＯＳレジスタ３００の一覧を報知するようにしてもよい。
【０１４１】
上述してきたように、本実施例では、紙幣釣銭機２００は、回収対象の紙幣を着脱可能な運用カセット２０７に収納し、運用カセット２０７に収納した紙幣の金種別枚数を現金センタに送信し、カセット回収機５００は、紙幣釣銭機２００から取り出された運用カセット２０７が装着可能で、運用カセット２０７が装着されたならば、運用カセット２０７から紙幣を繰り出して、繰り出した紙幣の金種別の枚数を計数したうえで着脱可能な回収カセット５２０に収納するとともに、回収カセット５２０に収納した紙幣の金種別の枚数を現金センタに送信するようにし、回収カセット５２０を取り出して回収カセット５２０ごと現金センタに運搬するようにし、回収カセット５２０は施錠できて運搬担当者が紙幣に触れることができないよう構成したので、商業施設に設置された複数の釣銭機から貨幣を収納したカセットをそれぞれ取り出し、各カセットに収納された貨幣を集約して警送会社等により現金センタ等に輸送する場合に、商業施設から警送会社等に受け渡された貨幣を効率良く特定しつつ、もって貨幣に関する責任の所在を明確にすることができる。
【０１４２】
なお、上述の本実施例では、カセット回収機５００に運用カセット２０７を装着して、運用カセット２０７から繰り出して紙幣識別部５０１で識別を行い、識別できなかった場合には紙幣取出口５１６ａに排出されるものとし、別途、紙幣受入口５１４ａから排出された紙幣を投入して行うバラ紙幣の収納処理を行うことによって排出された紙幣についても回収カセット５２０に収納させることを可能としたが、排出されてしまった紙幣のリカバリ処理はこれに限定されるものではない。例えば、紙幣の損傷の程度が大きくて受け付けられない場合などは、所定の操作に基づいて紙幣収納部５０６から繰り出した同額の紙幣を代わりに回収カセット５２０に収納できるようにしてもよい。
【０１４３】
また、上述の本実施例では、カセット回収機５００に運用カセット２０７を装着して運用カセット２０７に収納された紙幣を回収カセット５２０に収納する際には、運用カセット２０７に対応するＰＯＳレジスタ３００の特定をカードリーダ５１３で読み取った情報に基づいて行うものとしたが、本発明はこれに限定されるものではない。例えば、表示操作部５１２の操作（キー入力）により、ＰＯＳレジスタ３００の識別情報を特定できる情報を受け付けて、表示操作部５１２で受け付けた情報に基づいてＰＯＳレジスタ３００の識別情報を特定するようにしてもよい。また、例えば、運用カセット２０７にＩＣタグなどの記憶媒体を貼り付けておいて、運用カセット２０７が装着されたときに、運用カセット装着部５０７に設けるＩＣタグリーダにより該ＩＣタグに記憶されているＰＯＳレジスタ３００の識別情報を読み取るようにしてもよい。
【０１４４】
また、上述の本実施例では、紙幣釣銭機２００の内部に運用カセット２０７が装着できるものとして説明してきたが、本発明はこれに限定されるものではない。例えば、紙幣釣銭機２００が運用カセット２０７を外付けできるような構造となっていて、紙幣回収時に運用カセット２０７を外付けして、回収対象の紙幣を外付けした運用カセット２０７に収納できるような構造をとり、紙幣が収納された運用カセット２０７をバックオフィスへ持込むようにしてもよい。また、このような場合に、容量の大きな運用カセット２０７を外付け可能として、複数の紙幣釣銭機２００から直接、この容量の大きな運用カセット２０７に回収紙幣を収納して巡回するような運用にしてもよい。またその場合には、運用カセット２０７に収納された紙幣に対するアクセスを適切に制限できるようにして、運用カセット２０７を直接現金センタに持ち込むようにしてもよい。
【０１４５】
また、上述の本実施例では、カセット回収機５００は、バックオフィスに設置されるものとしたが、本発明はこれに限定されるものではない。例えば、カセット回収機５００を容易に移動させられるような構造（例えば、本体下部にキャスターを取り付ける）として、紙幣釣銭機２００が設置される売場内にカセット回収機５００を移動させて、紙幣釣銭機２００の近傍でカセット回収機５００に運用カセット２０７を装着して、紙幣をカセット回収機５００に集約するようにしてもよい。
【０１４６】
また、上述の本実施例では、紙幣釣銭機２００、回収された紙幣を収集するカセット回収機５００について説明を行ってきたが、本発明は紙幣に限定されるものではなく、例えば、商品券や小切手等の有価媒体について、同様の処理を行ってもよい。更には、硬貨釣銭機１００に硬貨を回収するための着脱可能な硬貨用の運用カセットを設け、該硬貨用の運用カセットを装着することができて、該硬貨用の運用カセットが装着された場合には該硬貨用の運用カセットから繰り出された硬貨を計数して着脱可能な硬貨用の回収カセットに収納され、該回収カセットを取り出して現金センタに輸送するようにしてもよい。
【０１４７】
また、上述の本実施例では、紙幣釣銭機２００から個別回収通知、カセット回収機５００から回収紙幣収納通知及び回収カセット取出通知を現金センタに送信して、これらの情報を現金センタ側で管理するようにしたが、本発明はこれに限定されるものではない。例えば、紙幣釣銭機２００からの個別回収通知、カセット回収機５００からの回収紙幣収納通知及び回収カセット取出通知をＰＯＳサーバ７００または店舗内の他の管理装置で管理するものとして、現金センタ側で集計処理などを行う場合に現金センタ側からの情報取得要求に応じてデータ若しくは集計結果を返信できるようにしてもよく、データが管理される場所を限定するものではない。また、紙幣釣銭機２００から個別回収通知を現金センタ側に通知する場合にはＰＯＳレジスタ３００及びＰＯＳサーバ７００を経由してデータ送信するものとしたが、紙幣釣銭機２００から現金センタに直接データ送信するようにしてもよく、データの通信経路を限定するものではない。
【０１４８】
また、上述の本実施例では、運用カセット２０７などの回収元を特定する情報としてＰＯＳレジスタ３００の識別情報を使用するものとしたが、本発明はこれに限定されるものではない。例えば、紙幣釣銭機２００を識別する情報を運用カセット２０７などの回収元を特定する情報として使用してもよい。また、例えば、操作者を特定する情報を運用カセット２０７などの回収元を特定する情報として使用してもよい。ただし、その場合には、操作者がいずれかのＰＯＳレジスタ３００又は紙幣釣銭機２００に対応付けられていて、その情報が管理されていることを条件とする。
【０１４９】
また、上述の本実施例では、商品の決済処理に係るＰＯＳレジスタ３００、硬貨釣銭機１００及び紙幣釣銭機２００を対象に説明を行ってきたが、決済対象の商品には有形の物品だけではなく、サービス等の無形物も含まれる。
【０１５０】
また、上述の実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１５１】
以上のように、本発明に係る貨幣回収装置、貨幣処理システム及び貨幣処理方法は、商業施設に設置された複数の釣銭機から貨幣を収納したカセットをそれぞれ取り出し、各カセットに収納された貨幣を集約して警送会社等により現金センタ等に輸送する場合に、商業施設から警送会社等に受け渡された貨幣を効率良く特定しつつ、もって貨幣に関する責任の所在を明確にすることに適している。
【符号の説明】
【０１５２】
９０    通信線
１００  硬貨釣銭機
１０１  硬貨識別部
１０３  入金搬送部
１０４ａ  リジェクト硬貨分岐部
１０４ｂ  あふれ硬貨分岐部
１０５  フル検知センサ
１０６  硬貨収納部
１０７  硬貨補助収納部
１０８  出金搬送部
１０９ａ、１０９ｂ  補助搬送路
１１２、５１２  表示操作部
１１４  硬貨受入部
１１５  シャッタ
１１６  硬貨払出部
１３０、２３０、３３０、４３０、５３０  制御部
１３０ａ、２３０ａ  入出金処理部
１３０ｂ、２３０ｂ  補充処理部
１３０ｃ、２３０ｃ  回収処理部
１３０ｄ、２３０ｄ、３３０ｃ  精査処理部
１３２、２３２、３３２、４３２、５３２  通信部
１３４、２３４、３３４、４３４、５３４  記憶部
１３４ａ  硬貨在高データ
１３４ｂ、２３４ｂ  入出金履歴データ
２００  紙幣釣銭機
２０１、５０１  紙幣識別部
２０３ａ、５０３ａ  周回搬送部
２０３ｂ、５０３ｂ  接続搬送部
２０４、５０４  出金リジェクト部
２０６、５０６  紙幣収納部
２０７  運用カセット
２１４、５１４  紙幣受入部
２１４ａ、５１４ａ  紙幣受入口
２１６、５１６  紙幣払出部
２１６ａ、５１６ａ  紙幣取出口
２３４ａ、５３４ａ  紙幣在高データ
３００  ＰＯＳレジスタ
３０２  表示部
３０２ａ  追加表示部
３０４  操作部
３０６  プリンタ
３０８  バーコードリーダ
３１０、５１３  カードリーダ
３３０ａ  履歴情報管理部
３３０ｂ  補充回収処理部
３３０ｄ  商品決済処理部
３３４ａ  在高データ
３３４ｂ  取引履歴データ
４００  棒金収納機
４０１  棒金収納部
４０２  ロック部
４３４ａ  棒金在高データ
５００  カセット回収機
５０７  運用カセット装着部
５２０  回収カセット
５２１  下部ユニット扉
５３０ａ  カセット回収処理部
５３０ｂ  バラ紙幣回収処理部
５３０ｃ  カセット取出処理部
５３０ｄ  釣銭準備金払出処理部
５３４ｂ  レジ回収状況データ
５３４ｃ  釣銭補充要求データ
７００  ＰＯＳサーバ
【図１】
2016162140.tif 000003
【図２】
2016162140.tif 000004
【図３】
2016162140.tif 000005
【図４】
2016162140.tif 000006
【図５】
2016162140.tif 000007
【図６】
2016162140.tif 000008
【図７】
2016162140.tif 000009
【図８】
2016162140.tif 000010
【図９】
2016162140.tif 000011
【図１０】
2016162140.tif 000012
【図１１】
2016162140.tif 000013
【図１２】
2016162140.tif 000014
【図１３】
2016162140.tif 000015
【図１４】
2016162140.tif 000016
【図１５】
2016162140.tif 000017